(57)【要約】  【課題】  音情報等のコンテンツを再生して楽しむことが可能なプリントの作成を注文する際に、ユーザが操作しやすく混乱しないようにすること。  【解決手段】  プリント媒体に記録可能なテンプレート情報とコンテンツとの選択可能な複数の組み合わせを管理するデータベース４１と、複数の組み合わせの中から特定の組み合わせを選択操作させる画面情報をプリントの注文元のパソコン１に送信して、組み合わせの指定を受信するＷｅｂ通信部２１と、指定された組み合わせのコンテンツに携帯電話機６ａ、６ｂからアクセスするのに必要な２次元コードを作成する２次元コード作成部２６と、指定された組み合わせのテンプレート情報、パソコン１からアップロードした画像及び２次元コードをプリンタ２により所定のプリント媒体に記録させる指示情報を作成するプリント指示情報作成部２２を備える構成にした。【選択図】  図１
2006011856.tif 000002
【特許請求の範囲】
【請求項１】
ネットワークを介してコンテンツにアクセスするのに必要なアクセス情報とプリント用画像とを所定のプリント媒体に記録したプリントの注文を受け付けるプリント注文受付サーバであって、
前記プリント媒体に記録可能なテンプレート情報と前記コンテンツとの選択可能な複数の組み合わせを管理するデータベースと、
前記複数の組み合わせの中から特定の組み合わせを選択操作させる画面情報をプリントの注文元の通信端末に送信し、該通信端末から組み合わせの指定を受信する通信手段と、
指定された組み合わせのコンテンツにアクセスするのに必要なアクセス情報を作成するアクセス情報作成手段と、
指定された組み合わせのテンプレート情報、前記プリント用画像及び前記アクセス情報を所定のプリンタにより所定のプリント媒体に記録させる指示情報を作成するプリント指示情報作成手段と、
を備えたことを特徴とするプリント注文受付サーバ。
【請求項２】
前記テンプレート情報は、プリント用画像に合成するフレーム画像、テキスト情報、又は、これらの組み合わせを含む請求項１に記載のプリント注文受付サーバ。
【請求項３】
前記コンテンツは、音情報、テキスト情報、画像情報、ベクタグラフィックスのマルチメディアコンテンツ、又は、これらの組み合わせを含む請求項１又は２に記載のプリント注文受付サーバ。
【請求項４】
前記データベースは、前記テンプレート情報及びコンテンツの組み合わせを複数のグループに分類して管理し、
前記通信手段は、前記複数のグループの中から特定のグループを選択操作させる画面情報を前記注文元の通信端末に送信し、該通信端末からグループの指定を受信することを特徴とする請求項１乃至３のいずれかに記載のプリント注文受付サーバ。
【請求項５】
前記通信手段は、前記プリントのプレビュー画像を前記注文元の通信端末に送信することを特徴とする請求項１乃至４のいずれかに記載のプリント注文受付サーバ。
【請求項６】
前記アクセス情報を符号化した２次元コードであって前記注文元の通信端末の表示画面で表示されたときに所定の２次元コード読取装置が読み取り可能な表示サイズの２次元コードを作成する２次元コード作成手段を備え、
前記通信手段は、前記２次元コードを前記注文元の通信端末に送信することを特徴とする請求項１乃至５のいずれかに記載のプリント注文受付サーバ。
【請求項７】
前記注文元の通信端末からアップロードされたコンテンツを前記テンプレート情報と関連付けて前記データベースに登録する登録手段を備えたことを特徴とする請求項１乃至６のいずれかに記載のプリント注文受付サーバ。
【請求項８】
電話回線を介して受信した通話音声を録音する録音手段と、
録音した通話音声をコンテンツとして前記テンプレート情報と関連付けて前記データベースに登録する登録手段と、
を備えたことを特徴とする請求項１乃至６のいずれかに記載のプリント注文受付サーバ。
【請求項９】
前記通信手段は、前記コンテンツを前記注文元の通信端末に送信し、該通信端末が再生することを特徴とする請求項１乃至８のいずれかに記載のプリント注文受付サーバ。
【発明の詳細な説明】
【技術分野】
【０００１】
本発明はプリント注文受付サーバに係り、特に画像を記録したプリントの作成の注文を受け付けるプリント注文受付サーバに関する。
【背景技術】
【０００２】
文字だけでなくユーザの画像を印刷したポストカードの注文を受け付けるサーバが運用されている。この画像には所望のフレームを付けることができる。また、特許文献１には、音声を符号化したバーコードを画像とともに印刷することにより、音再生を楽しむことが可能なポストカードを作成するものが記載されている。
【０００３】
ところで、ＱＲコード（登録商標）などの２次元コードを用紙に印刷しておき、この２次元コードを読み取らせるとインターネット上の情報を取得して表示するようにした携帯電話機が知られている（特許文献２を参照）。例えば、インターネット上のサーバには商品の機能などを紹介した広告情報を予め登録しておき、一般ユーザには２次元コードを印刷した広告媒体を配布する。この２次元コードには、サーバに登録した広告情報を取得するためのＵＲＬ（Uniform Resource Locator）が所定の形式で符号化されている。一般ユーザが携帯電話機に２次元コードを読み取らせると、携帯電話機により２次元コードが復号化されて、その結果（ＵＲＬ）が携帯電話機の画面に表示される。ここで、一般ユーザが携帯電話機で通信を許可する操作を行うと、携帯電話機の画面に表示されたＵＲＬを用いて携帯電話機がサーバにアクセスし、サーバからダウンロードした広告情報が携帯電話機の画面に表示される。
【特許文献１】特開２００２−１６７４６号公報
【特許文献２】特開２００２−１１８６８０号公報
【発明の開示】
【発明が解決しようとする課題】
【０００４】
フレームがついた画像を見て楽しみ、更に、音再生も楽しむことができるのは確かに好ましいことだが、ポストカードの作成を注文するユーザは、フレームを選択して、プリント用の画像をアップロードして、さらに音声を登録しなければならず、ユーザの作業は非常に煩雑になる。特に、初めてそのような一連の作業をするユーザにとって、一体何をすればよいのか、あるいは、一体何をしているのか、非常に分かりにくい。また、音声を登録する場合、どのような音声を登録すればよいのか、音声の全体の長さはどれくらいがよいのか、初めてのユーザにとって判断することは困難である。
【０００５】
本発明はこのような事情に鑑みてなされたもので、プリント注文する際に操作しやすく混乱しないようにすることができるプリント注文受付サーバを提供することを目的とする。
【課題を解決するための手段】
【０００６】
前記目的を達成するために、請求項１に記載の発明は、ネットワークを介してコンテンツにアクセスするのに必要なアクセス情報とプリント用画像とを所定のプリント媒体に記録したプリントの注文を受け付けるプリント注文受付サーバであって、前記プリント媒体に記録可能なテンプレート情報と前記コンテンツとの選択可能な複数の組み合わせを管理するデータベースと、前記複数の組み合わせの中から特定の組み合わせを選択操作させる画面情報をプリントの注文元の通信端末に送信し、該通信端末から組み合わせの指定を受信する通信手段と、指定された組み合わせのコンテンツにアクセスするのに必要なアクセス情報を作成するアクセス情報作成手段と、指定された組み合わせのテンプレート情報、前記プリント用画像及び前記アクセス情報を所定のプリンタにより所定のプリント媒体に記録させる指示情報を作成するプリント指示情報作成手段を備えた構成となっている。
【０００７】
この構成によって、プリント媒体に記録可能なテンプレート情報とコンテンツとの選択可能な複数の組み合わせが管理されて、複数の組み合わせの中から特定の組み合わせを選択操作させる画面情報がプリントの注文元の通信端末に送信されるので、通信端末において複数の組み合わせの中から特定の組み合わせを選択すれば、その指定した組み合わせに従ったプリントが作成されることになり、プリント注文する際にユーザが操作しやすく混乱しないようにすることができる。
【０００８】
なお、前記テンプレート情報は、請求項２に示すように、プリント用画像に合成するフレーム画像、テキスト情報、又は、これらの組み合わせを含む。
【０００９】
また、前記コンテンツは、請求項３に示すように、音情報、テキスト情報、画像情報、ベクタグラフィックスのマルチメディアコンテンツ、又は、これらの組み合わせを含む。
【００１０】
請求項４に記載の発明は、請求項１乃至３のいずれかに記載の発明において、前記データベースは、前記テンプレート情報及びコンテンツの組み合わせを複数のグループに分類して管理し、前記通信手段は、前記複数のグループの中から特定のグループを選択操作させる画面情報を前記注文元の通信端末に送信し、該通信端末からグループの指定を受信する構成となっている。
【００１１】
請求項５に記載の発明は、請求項１乃至４のいずれかに記載の発明において、前記通信手段は、前記プリントのプレビュー画像を前記注文元の通信端末に送信する構成となっている。
【００１２】
請求項６に記載の発明は、請求項１乃至５のいずれかに記載の発明において、前記アクセス情報を符号化した２次元コードであって前記注文元の通信端末の表示画面で表示されたときに所定の２次元コード読取装置が読み取り可能な表示サイズの２次元コードを作成する２次元コード作成手段を備え、前記通信手段は、前記２次元コードを前記注文元の通信端末に送信する構成となっている。
【００１３】
請求項７に記載の発明は、請求項１乃至６のいずれかに記載の発明において、前記注文元の通信端末からアップロードされたコンテンツを前記テンプレート情報と関連付けて前記データベースに登録する登録手段を備えた構成となっている。
【００１４】
請求項８に記載の発明は、請求項１乃至６のいずれかに記載の発明において、電話回線を介して受信した通話音声を録音する録音手段と、録音した通話音声をコンテンツとして前記テンプレート情報と関連付けて前記データベースに登録する登録手段を備えた構成となっている。
【００１５】
請求項９に記載の発明は、請求項１乃至８のいずれかに記載の発明において、前記通信手段は、前記コンテンツを前記注文元の通信端末に送信し、該通信端末が再生する構成となっている。
【発明の効果】
【００１６】
本発明によれば、ユーザがプリント注文する際に操作しやすく混乱しないようにできる。
【発明を実施するための最良の形態】
【００１７】
以下、添付図面に従って、本発明を実施するための最良の形態について詳細に説明する。
【００１８】
図１は、本発明に係る一実施形態のプリント注文受付サーバ２を利用したプリント注文受付システムの概略機能構成図である。このシステムは、主として、パソコン１、プリント注文受付サーバ２（以下単に「サーバ」という）、及び、プリンタ５がネットワーク９に接続されてなる。
【００１９】
パソコン１はＷｅｂブラウザ１１を備えており、キーボードやマウスなどで構成される操作部１３から入力されたＵＲＬ（Uniform Resource Locator）で特定されるＷｅｂページの送信をサーバ２に要求し、受信したＷｅｂページを表示部１２に表示する。
【００２０】
サーバ２は、パソコン１からネットワーク９を介して写真プリントの作成の注文を受け付けるものである。このサーバ２は、主として、制御部２０、Ｗｅｂ通信部２１、画面情報作成部２２、認証部２３、注文受付部２４、ＩＤ発行部２５、２次元コード作成部２６、プリント指示情報作成部２７、電話通信部３１、録音部３２、ファイル変換部３３、音再生部３４、コンテンツＤＢ（データベース）４１、管理ＤＢ（データベース）４２、登録部４６及び検索部４７によって構成されている。
【００２１】
Ｗｅｂ通信部２１は、ネットワーク９を介して、そのネットワーク９に接続されたパソコン１、プリンタ５、及び、携帯電話機６ａ、６ｂと通信するものである。
【００２２】
画面情報作成部２２は、パソコン１や携帯電話機６ａ、６ｂで表示される画面情報を作成する。例えば、第１に、テンプレートセットを分類したカテゴリ（グループ）の選択操作をパソコン１で行うことが可能な画面情報を作成する。第２に、選択されたカテゴリに属する複数のテンプレートセットの中から特定のテンプレートセットを選択する操作をパソコン１で行うことが可能な画面情報を作成する。ここで、テンプレートセットは、写真プリントに記録するテンプレート情報（例えばユーザの画像に合成するフレームである）とデフォルトのコンテンツ（例えば予め決められた音情報である）を含んで構成される。第３に、写真プリントに記録するユーザの画像（「写真プリント用画像」ともいう）のアップロード操作をパソコン１で行うことが可能な画面情報を作成する。第４に、コンテンツの変更操作（又はコンテンツのアップロード操作）をパソコン１で行うことが可能な画面情報を作成する。これらの作成された画面情報はＷｅｂページの一部としてＷｅｂ通信部２１によりパソコン１に送信される。
【００２３】
認証部２３は、パソコン１から入力された一意的な識別情報（説明の簡略のためユーザＩＤ及びパスワードとするが、指紋情報などであってもよい）で各パソコン１のサーバ２への接続を認証する。
【００２４】
注文受付部２４は、パソコン１から写真プリントの注文を受け付ける。具体的には、Ｗｅｂ通信部２１を介して、画面情報作成部２２によって作成された画面情報をパソコン１に送信するとともに、このパソコン１から、Ｗｅｂ通信部２１を介して、カテゴリの指定、テンプレートセットの指定、プリント用画像のアップロード、コンテンツの変更又はアップロード、コンテンツのダウンロード要求などを受け付ける。
【００２５】
ＩＤ発行部２５は、コンテンツを識別するコンテンツＩＤを発行する。
【００２６】
２次元コード作成部２６は、コンテンツＤＢ４１によって管理されるコンテンツに、携帯電話機６ａ、６ｂからネットワーク９を介してアクセスするのに必要な２次元コード（「２次元バーコード」とも呼ばれる）を作成する。この２次元コードには、コンテンツの取得に必要なプロトコルの識別情報（一般には「http」）と、サーバ２のドメイン名と、コンテンツＩＤとが符号化されて埋め込まれる。以下、説明を簡略にするため、２次元コードとしてＱＲコードを例に説明するが、マキシコード、データマトリクス、ＰＤＦ４１７等の２次元コードを用いてもよい。
【００２７】
プリント指示情報作成部２７は、プリンタ５に対して写真プリント作成を指示する情報（プリント指示情報）を作成する。このプリント指示情報には、パソコン１からアップロードされたユーザの画像、ユーザの画像とともに用紙に記録されるテンプレート情報及び２次元コードが含まれる。
【００２８】
電話通信部３１は、携帯電話機６ａ、６ｂその他の電話機との間で通話機能を利用した通信を行うものである。この電話通信部３１には所定の電話番号が付与されている。録音部３２は、携帯電話機６ａ、６ｂその他の電話機から電話通信部３１の電話番号に着信した通話音声を録音する。ファイル変換部３３は、録音部３２が録音した通話音声をパソコン１及び携帯電話６ａ、６ｂで再生可能なフォーマットの音ファイル（wavファイルなど）に変換する。変換された音ファイルはコンテンツとしてコンテンツＤＢ４１に登録される。音再生部３４は、コンテンツＤＢ４１の音ファイルから通話音声を再生し、電話通信部３１の電話番号に対して発信した携帯電話機６ａ、６ｂその他の電話機にその通話音声を送信する。これらの電話通信部３１、録音部３２、ファイル変換部３３、及び、音再生部３４は、ＣＴＩ（Computer Telephony Integration）サーバ３を構成する。
【００２９】
コンテンツＤＢ４１は、音ファイル、テキストファイル、画像ファイル、ベクタグラフィックスのマルチメディアコンテンツなどのコンテンツを記憶する。また、ユーザの画像とともに用紙に記録するテンプレート情報をデフォルトのコンテンツと関連付けて記憶する。管理ＤＢ４２は、写真プリント作成の注文情報を管理する。
【００３０】
登録部４６は、コンテンツをテンプレート情報と関連付けてコンテンツＤＢ４１に登録する。なお、各コンテンツにはＩＤ発行部２５が発行したコンテンツＩＤが付与されている。例えば、各コンテンツのファイル名の一部にコンテンツＩＤが含まれるようにする。検索部４７は、コンテンツＩＤに基づいてコンテンツＤＢ４１から所望のコンテンツを検索する。
【００３１】
制御部２０は、ＣＰＵ（Central Processing Unit）で構成され、Ｗｅｂ通信部２１、画面情報作成部２２、認証部２３、注文受付部２４、ＩＤ発行部２５、２次元コード作成部２６、プリント指示情報作成部２７、電話通信部３１、録音部３２、ファイル変換部３３、音再生部３４、コンテンツＤＢ４１、管理ＤＢ４２、登録部４６及び検索部４７といったサーバ２の各部を統括制御する。
【００３２】
なお、図１では、パソコン１は１つしか図示していないが、複数のパソコン１をサーバ２に接続する態様も可能である。即ち、サーバ２は認証部２３を備えており、パソコン１から入力された一意的な識別情報（説明の簡略のためユーザＩＤ及びパスワードとするが、指紋情報などであってもよい）で各パソコン１のサーバ２への接続を認証する。このため、複数のパソコン１が接続された場合も、その各々を識別することが可能である。
【００３３】
図２に示すテンプレート管理テーブル４１０は、テンプレート画像ファイル（テンプレート情報の一例である）、テンプレート音ファイル（デフォルトのコンテンツの一例である）、及び、変更可否が、テンプレートセットごとに関連付けられてなる。このテンプレート管理テーブル４１０は、複数のカテゴリ（Ｃ１、Ｃ２、Ｃ３、…）に分類されてコンテンツＤＢ４１に登録されている。例えば、第１のカテゴリＣ１には、３つのテンプレートセット（Ｔ１、Ｔ２、Ｔ３）が属する。第２のカテゴリＣ２、及び、第３のカテゴリＣ３にも、同様に、それぞれ複数のテンプレートセットが属している。
【００３４】
なお、カテゴリ（Ｃ１、Ｃ２、Ｃ３、…）は、パソコン１の操作部１３の操作により、いずれか１つを任意に選択できる。また、選択された特定のカテゴリ（例えばＣ１）に属する複数のテンプレートセット（例えばＴ１、Ｔ２、Ｔ３）の中から、パソコン１の操作部１３の操作により、いずれか１つを任意に選択できる。
【００３５】
また、テンプレート画像ファイルとテンプレート音ファイルとの対応は特に限定する必要はないが、例えば、認証部２３で認証を受けたプリント注文者とは別のコンテンツ提供者が、所定の料金をサーバ２の管理者に支払い、独自に作成したテンプレート画像ファイルとそのテンプレート画像ファイルの内容に相応しい音を再生するテンプレート音ファイルを関連付けてコンテンツＤＢ４１に記憶してもらう。
【００３６】
図３は管理ＤＢ４２に記憶される注文管理テーブル４２０の例を示す。注文管理テーブル４２０は、コンテンツＩＤと、ユーザＩＤと、テンプレート画像ファイルと、ユーザがアップロードした画像ファイル、テキストファイル及び音ファイルとが関連付けられた情報である。コンテンツＩＤはサーバ２のＩＤ発行部２５が発行したものである。ユーザＩＤは認証部２３がパソコン１から取得する。テンプレート画像ファイル（例えばT1.jpg）は、図２に示すように、テンプレート音ファイル（例えばT1.wav）が関連付けられており、このテンプレート音ファイルとともにテンプレートセットを構成する。ユーザ画像ファイルはパソコン１からサーバ２にアップロードされた写真プリント用のユーザの画像ファイルである。ユーザテキストファイルは、パソコン１からサーバ２にアップロードされたテキスト情報をファイル化したものである。ユーザ音ファイルは、パソコン１からサーバ２にアップロードする態様と、携帯電話６ａ、６ｂその他の電話機の通話機能を利用してサーバ２にアップロードする態様と、コンテンツＤＢ４１に予め登録されているものの中から選択する態様とがある。
【００３７】
第１の携帯電話機６ａは、パソコン１を使用するプリント注文したユーザが使用する。第２の携帯電話機６ｂは、プリント注文したユーザとは異なるユーザであって、写真プリントを配布されたユーザが使用する。これらの携帯電話機６ａ、６ｂは、２次元コードを読み取ってその２次元コードに埋め込まれている情報を取り出すコードリーダ６１を備えている。また、携帯電話機６ａ、６ｂは、２次元コードを用いてネットワーク９を介してコンテンツにアクセスする。
【００３８】
以下、図４のフローチャートを用いて、サーバ２における注文受付処理の流れを説明する。この注文受付処理の各ステップは、主としてサーバ２の制御部２０がプログラムに従って実行する。
【００３９】
Ｓ１では、パソコン１から受信したユーザＩＤ及びパスワードに基づいてパソコン１を認証する。
【００４０】
Ｓ２では、パソコン１でカテゴリ及びテンプレートセットの選択操作を行わせるＷｅｂページをパソコン１に送信し、パソコン１からカテゴリの指定及びテンプレートセットの指定を受信する。
【００４１】
図５は、カテゴリの選択操作及びテンプレートセットの選択操作を行わせるＷｅｂページの一例である。このＷｅｂページにおいて、カテゴリ選択領域２２１１には、選択可能なカテゴリの一覧が表示されている。詳細には、第１のカテゴリＣ１から第８のカテゴリＣ８までの８つに大分類された、各カテゴリの名称（「おすすめ！」、「夏特集！」、「久しぶり」など）が一覧表示されている。なお、第６のカテゴリＣ６は、更に４つの小さなカテゴリに小分類されている。また、テンプレートセット選択領域２２１２には、選択されているカテゴリ（例えば第１のカテゴリＣ１）に属する選択可能なテンプレートセットの一覧（例えば第１のカテゴリＣ１に属する第１のテンプレートセットＴ１から第３のテンプレートセットＴ３までの３つのテンプレートセットの一覧）が表示されている。なお、各テンプレートセットＴ１、Ｔ２、Ｔ３は、図２のテンプレート管理テーブル４１０に示すように、テンプレート画像ファイル（ユーザの画像とともに写真プリントに記録するテンプレート情報である）Ｔ１１、Ｔ２１、Ｔ３１、及び、テンプレート音ファイル（デフォルトのコンテンツである）Ｔ１２、Ｔ２２、Ｔ３２によって構成されている。ここで、テンプレート画像ファイルＴ１１、Ｔ２１、Ｔ３１のその画像がプリント時とほぼ同じ色彩でテンプレートセット選択領域２２１２内に表示される一方で、テンプレート音ファイルＴ１２、Ｔ２２、Ｔ３２は、その音の一部が文字列でテンプレート選択領域２２１２内に表示される。例えば、第１のテンプレート音ファイルＴ１２には「バカンスしてま〜す・・・」という人の声と涼しげな音楽が、第２のテンプレート音ファイルＴ２２には「いい波きてるよ・・・」という人の声と勢いのある波の音が、第３のテンプレート音ファイルＴ３２には「くつろいでる？・・・」という人の声とくつろぎ感を与える音楽がそれぞれ記録されており、それぞれ「バカンスしてま〜す」、「いい波きてるよ」、「くつろいでる？」という文字列がテンプレート画像を表示したその近傍に表示される。音の一部を文字列で表示する変わりに、音の全部をテキストに変換してテロップで流すようにして表示してもよい。なお、デフォルトのコンテンツが音ファイルではなく、動画像ファイルである場合には、例えば代表コマを示す静止画像が表示されるようにしてもよく、ベクタグラフィックスのマルチメディアコンテンツである場合には、例えばその一部の再生が行われるようにしてもよい。
【００４２】
パソコン１では、テンプレート画像ファイルＴ１１、Ｔ２１、Ｔ３１のその画像が表示された部分をマウスを用いてクリックするなどの操作によりテンプレートセットの選択が行われ、選択されたテンプレートセットの識別子をサーバ２に通知する。以下の説明では一例として第１のテンプレートセットＴ１が選択されて、その識別子「Ｔ１」がサーバ２に通知されたものとして説明する。
【００４３】
Ｓ３では、パソコン１でユーザの画像（写真プリント用画像である）のアップロード操作を行わせるＷｅｂページをパソコン１に送信し、パソコン１からユーザの画像を受信する。
【００４４】
図６は、ユーザの画像のアップロード操作を行わせるＷｅｂページの一例である。このＷｅｂページにおいて、「参照」ボタン５２を押すと、ユーザはパソコン１に保存されている画像を選択操作することができ、この選択操作をもってアップロードすべき画像を指定する。指定が完了するとパソコン１は指定された画像をサーバ２に送信する。なお、このページには、Ｓ２で選択されたテンプレート画像ファイルのその画像（ここではフレームである）を確認できるように拡大表示させている。パソコン１からアップロードされた画像は、コンテンツＩＤ及びテンプレート画像ファイルと関連付けられて、コンテンツＤＢ４１に登録される。また、図６のＷｅｂページでは、テキスト情報を入力し、サーバ２にアップロードする操作が可能となっている。例えば、ユーザが好みのテキスト情報（例えば「私は○○に来ています。もう最高！」など）を入力可能であり、入力されたテキスト情報を受信したサーバ２は、そのテキスト情報をファイル化して、コンテンツＩＤ及びテンプレート画像ファイルと関連付けて、コンテンツＤＢ４１に登録する。もっとも、テキスト情報は非入力可になっている。
【００４５】
Ｓ４では、Ｓ２で選択されたテンプレートセットのテンプレート音ファイルから変更するか否かの指定を受け付ける。すなわち２次元コードを読み取った携帯電話機６ａ、６ｂで再生される音を変更できる。変更する指定がされなかった場合にはＳ９に移行する。変更する指定がされた場合にはＳ５に移行する。例えば図６に示すＷｅｂページで「変更」ボタン５１が押下された場合、サーバ２は変更する指定をパソコン１から受信してＳ５に移行する。
【００４６】
Ｓ５では、写真プリント上の２次元コードを用いてアクセスする音を、パソコン１からアップロードするユーザの音ファイルのその音とするか否かの指定を受け付ける。パソコン１で音ファイルが指定操作された場合、指定された音ファイルのアップロードをパソコン１から受け付け、アップロードされた音ファイルをコンテンツＩＤ及びテンプレート画像ファイルと関連付けてコンテンツＤＢ４１に記憶し、Ｓ９に移行する。パソコン１から音ファイルが指定されなかった場合、Ｓ６に移行する。この指定は、図７に示すようなＷｅｂページをパソコン１に送信し、パソコン１で「参照」ボタン７１が押下されて、パソコン１に保存されている音ファイルが選択されると、この選択をもってアップロードすべき音ファイルが指定される。指定が完了すると、パソコン１は指定された音ファイルをサーバ２に送信する。
【００４７】
Ｓ６では、写真プリント上の２次元コードを用いてアクセスする音を、録音部３２に録音した音声とするか否かの指定を受け付ける。この指定がされた場合にはＳ７に移行し、指定されなかった場合にはＳ５に戻る。この指定は、図７のＷｅｂページから受け付けることができる。即ち、「完了」ボタン７２が押下されたか否かで受け付けることができる。なお、図７のＷｅｂページには、電話通信部３１に付与された所定の電話番号７３が表示されており、この電話番号７３で接続した電話の通話音声が録音部３２により録音される。録音部３２は、録音された音声をコンテンツＩＤと関連付けて記憶しており、どの録音音声がどのコンテンツＩＤと対応しているかを管理している。
【００４８】
Ｓ７では、録音が完了した旨の指示に応じ、録音部３２に録音された通話音声をファイル変換部３３で音ファイルに変換し、ファイル変換部３３の出力した音ファイルをコンテンツＩＤ及びテンプレート画像ファイルと関連付けてコンテンツＤＢ４１に登録する。録音が完了した旨の指示は、図７のＷｅｂページで「完了」ボタン７２を押下する操作であってよい。
【００４９】
以上の各ステップが実行されると、図３に示す注文管理テーブル４２０には、各注文ごとに、コンテンツＩＤ、ユーザＩＤ、図２のテンプレートセット管理テーブル４１０から選択されたテンプレートセットのテンプレート画像ファイル、ユーザ画像ファイル、ユーザテキストファイル、及び、ユーザ音ファイルが登録される。なお、ユーザテキストファイルとユーザ音ファイルは「なし」の場合もある。この場合には、「なし」を示す値（ｎｕｌｌ）が登録される。
【００５０】
Ｓ９では、ネットワーク９を介してコンテンツにアクセスするのに必要な２次元コードを作成する。
【００５１】
Ｓ１０では、Ｓ３でアップロードされたユーザの画像ファイルのその画像とＳ２で選択されたテンプレート画像ファイルのその画像とを合成した合成画像に２次元コードを添付した写真プリントをプレビュー表示させるＷｅｂページをパソコン１に送信する。図８はプレビュー画像を表示させるＷｅｂページの一例である。このＷｅｂページには、Ｓ２で選択されたテンプレート画像ファイルのその画像とＳ３でアップロードされたユーザ画像ファイルのその画像とを合成した合成画像５６に、Ｓ９で発行した２次元コードの低解像の画像５５を添付した写真プリントのプレビュー画像５７が表示される。なお、このＷｅｂページでは、「聞く」ボタン５４を押下することで、Ｓ９で発行した２次元コードに対応する音ファイルをサーバ２からパソコン１にダウンロードあるいはストリーミング再生することができる。このため、携帯電話６ａ、６ｂで写真プリント上の２次元コードを用いて再生される音をパソコン１でも事前に確認できる。
【００５２】
Ｓ１１では、パソコン１の表示部１２に表示された２次元コードのサイズ拡大を要求されたか否かを判断する。サイズ拡大を要求された場合には、Ｓ１２に移行し、要求されない場合はＳ１３に移行する。この要求は、プレビュー画像５７の２次元コードの縮小画像５５がクリック操作されたときパソコン１からサーバ２に送信される。
【００５３】
Ｓ１２では、パソコン１の表示部１２に表示される２次元コードであって、携帯電話機６ａで読み取り可能なサイズに拡大した２次元コードをパソコン１に送信する。ここで、読取可能とは、単にその２次元コードを携帯電話６ａが撮影可能というだけではなく携帯電話機６ａがその２次元コードを復号して認識可能であることをいう。図９は拡大して表示した２次元コード５５’を示す。
【００５４】
Ｓ１３では、携帯電話機６が拡大表示された２次元コード５５’に埋め込まれていたコンテンツＩＤを取り出して、そのコンテンツＩＤで特定されるコンテンツＤＢ４１の音ファイルの送信を要求してきたか否かを判断する。送信が要求された場合はＳ１４に移行し、制御部２０は要求された音声ファイルをコンテンツＤＢ４１から取得して携帯電話機６ａに送信する。送信が要求されない場合は写真プリントの注文代金の決済処理などを適宜行って本処理を終了する。
【００５５】
なお、音ファイルの変更は、サーバ２にアップロードすることにより行う場合を例に説明したが、本発明はこれに限るものではない。例えば、図６のＷｅｂページにおいて「変更」ボタン５１を押したとき、コンテンツＤＢ４１で管理するテンプレート音ファイルの一覧を示すＷｅｂページをサーバ２からパソコン１に送信し、一覧の中からテンプレート音ファイルを選択する操作をパソコン１側で行わせて、そのテンプレート音ファイルの指定をパソコン１から受信するようにしてもよい。
【００５６】
また、図２のテンプレート管理テーブル４１０において、所定の管理ツールプログラムにより「変更可否」が「否」と設定されている場合には、図６のＷｅｂページにおいて「変更」ボタン５１は表示されないようになっている。即ち、テンプレート管理テーブル４１０の「変更可否」の設定情報に基づいて、音ファイルの変更を禁止したＷｅｂページがサーバ２で作成されてパソコン１に送信される。
【００５７】
また、テンプレートセットを構成するテンプレート情報（写真プリントに記録される情報である）として、フレーム画像を例に説明したが、本発明はこれに限るものではない。例えば、「メリークリスマス！」、「新年おめでとうございます。」などのテキスト情報であってもよい。
【００５８】
また、テンプレートセットを構成するデフォルトのコンテンツとして、音情報を例に説明したが、本発明はこれに限るものではない。例えば、動画像、静止画像、テキスト情報、あるいは、Flash（商標）の形式で形成されたベクタグラフィックスのマルチメディアコンテンツであってもよい。
【００５９】
また、アクセス情報として２次元コードを写真プリントに記録した場合を例に説明したが、本発明はこれに限らず、１次元バーコードを用いてもよい。また、用紙に形成されたＩＣタグにアクセス情報を書き込むようにしてもよい。この場合、プリンタ５には、ＩＣタグ（ＲＦＩＤ：Radio Frequency Identificationともいう）に情報を無線で書き込むための無線書込手段を設ける。また、携帯電話機６ａ、６ｂには、ＩＣタグから情報を無線で読み取るための無線読取手段が設けられる。また、プリント用画像に電子透かし情報として埋め込んで記録するようにしてもよい。この場合、携帯電話機６ａ、６ｂは、電子透かし情報を読み取る機能を有する。
【００６０】
また、プリント注文ユーザの通信端末は、パソコン１に限らず、携帯電話機、ＰＤＡ（Personal Digital Assistants）、その他の通信端末を用いてもよい。
【００６１】
その他、本発明は、図で示した例や実施形態として説明した例に限定されるものではなく、本発明の要旨に従って適宜設計変更や改良を施して実施してよいことはもちろんである。
【図面の簡単な説明】
【００６２】
【図１】本発明の一実施形態に係るプリント注文受付サーバを利用した写真プリント注文受付システムの概略機能構成図
【図２】テンプレート情報とデフォルトのコンテンツとの組み合わせを管理するテーブルの概念説明図
【図３】注文情報を管理するテーブルの概念説明図
【図４】注文処理の流れを示す概略フローチャート
【図５】グループの選択操作及びテンプレートの組み合わせの選択操作を行うＷｅｂページの一例を示す図
【図６】プリント用画像のアップロード操作を行うＷｅｂページの一例を示す図
【図７】アップロードすべき音コンテンツの指定操作あるいは録音の指定操作を行うＷｅｂページの一例を示す図
【図８】プリントのプレビュー画像を表示するＷｅｂページの一例を示す図
【図９】携帯電話機で読み取り可能なサイズでパソコンに表示された２次元コードの一例を示す図
【符号の説明】
【００６３】
１…パソコン（通信端末）、２…プリント注文受付サーバ、３…ＣＴＩサーバ、５…プリンタ、６ａ、６ｂ…携帯電話機（２次元コード読取装置）、７…基地局、９…ネットワーク、２１…Ｗｅｂ通信部、２２…画面情報作成部、２３…認証部、２４…注文受付部、２５…ＩＤ発行部、２６…２次元コード作成部、２７…プリント指示情報作成部、３１…電話通信部、３２…録音部、３３…ファイル変換部、３４…音再生部、４１…コンテンツデータベース、４２…管理データベース、４６…登録部、４７…検索部
【図１】
2006011856.tif 000003
【図２】
2006011856.tif 000004
【図３】
2006011856.tif 000005
【図４】
2006011856.tif 000006
【図５】
2006011856.tif 000007
【図６】
2006011856.tif 000008
【図７】
2006011856.tif 000009
【図８】
2006011856.tif 000010
【図９】
2006011856.tif 000011